(57)【要約】  【課題】イベント期間における売上がイベント期間外における売上と比べてどのように変化したかを遊技場側が容易に把握することができるような遊技用管理装置を提供する。  【解決手段】遊技場に設置されたパチンコ機における売上（玉貸金額）を特定可能な売上情報を入力し、該入力された売上情報を１日単位で集計し、該集計された売上情報の集計値を記憶すると共に、遊技場で開催されるイベントについて該イベントが開催されるイベント期間を設定する。そして、前記記憶されている売上情報の集計値に基づいて、該売上情報の推移を示す売上推移グラフを作成すると共に、前記設定されたイベント期間に基づいて、該作成した売上推移グラフ上に、該イベント期間を特定可能な態様で示した売上推移グラフを作成し、該作成された売上推移グラフを出力する。【選択図】        図８ 
2005095459.tif 000002
【特許請求の範囲】
【請求項１】
遊技場に設置された遊技機における売上を特定可能な売上情報を入力する入力手段と、
該入力手段に入力された売上情報を１日単位で集計する集計手段と、
該集計手段により集計された売上情報の集計値を記憶する記憶手段と、
遊技場で開催されるイベントについて該イベントが開催されるイベント期間を設定するイベント期間設定手段と、
前記記憶手段により記憶されている売上情報の集計値に基づいて、該売上情報の推移を示す売上推移グラフを作成すると共に、前記イベント期間設定手段により設定されたイベント期間に基づいて、該作成した売上推移グラフ上に、該イベント期間を特定可能な態様で示した売上推移グラフを作成する売上推移グラフ作成手段と、
該売上推移グラフ作成手段により作成された売上推移グラフを出力する出力手段と、
を備える遊技用管理装置。
【請求項２】
請求項１に記載した遊技用管理装置であって、
前記イベント期間設定手段により設定されたイベント期間における前記売上情報の集計値であるイベント期間売上情報を集計するイベント期間売上情報集計手段をさらに備え、
前記売上推移グラフ作成手段は、前記記憶手段により記憶されている売上情報の集計値に基づいて、該売上情報の推移を示す売上推移グラフを作成すると共に、前記イベント期間設定手段により設定されたイベント期間及び前記イベント期間売上情報集計手段により集計されたイベント期間売上情報に基づいて、該作成した売上推移グラフ上に、該イベント期間を特定可能な態様で、該イベント期間における前記イベント期間売上情報を該イベント期間に対応付けて示した売上推移グラフを作成することを特徴とする遊技用管理装置。
【請求項３】
請求項１又は２に記載した遊技用管理装置であって、
前記イベント期間設定手段により設定されたイベント期間と対応付けてイベント内容を設定するイベント内容設定手段をさらに備え、
前記売上推移グラフ作成手段は、前記記憶手段により記憶されている売上情報の集計値に基づいて、該売上情報の推移を示す売上推移グラフを作成すると共に、前記イベント期間設定手段により設定されたイベント期間及び前記イベント内容設定手段により設定されたイベント内容に基づいて、該作成した売上推移グラフ上に、該イベント期間を特定可能な態様で、該イベント期間に対応するイベント内容を該イベント期間に対応付けて示した売上推移グラフを作成することを特徴とする遊技用管理装置。
【請求項４】
請求項１〜３のいずれか１つに記載した遊技用管理装置であって、
前記イベント期間設定手段により設定されたイベント期間における前記売上情報の目標値であるイベント期間目標売上を設定するイベント期間目標売上設定手段と、
前記イベント期間設定手段により設定されたイベント期間における前記売上情報の集計値であるイベント期間売上情報を集計するイベント期間売上情報集計手段と、
該イベント期間売上情報集計手段により集計されたイベント期間売上情報が前記イベント期間目標売上設定手段により設定されたイベント期間目標売上を超えたか否かを判定する判定手段と、をさらに備え、
前記売上推移グラフ作成手段は、前記記憶手段により記憶されている売上情報の集計値に基づいて、該売上情報の推移を示す売上推移グラフを作成すると共に、前記イベント期間設定手段により設定されたイベント期間及び前記判定手段により前記イベント期間売上情報が前記イベント期間目標売上を超えたと判定されたことに基づいて、該作成した売上推移グラフ上に、該イベント期間売上情報がイベント期間目標売上を超えたイベント期間を、該イベント期間売上情報がイベント期間目標売上を超えなかったイベント期間と異なる態様で示した売上推移グラフを作成することを特徴とする遊技用管理装置。
【請求項５】
請求項１〜４のいずれか１つに記載した遊技用管理装置であって、
前記売上情報が発生する遊技機の機種を設定する機種設定手段をさらに備え、
前記集計手段は、前記入力手段に入力された売上情報を前記機種設定手段により設定された遊技機の機種毎に１日単位で集計し、
前記記憶手段は、該集計手段により集計された売上情報の集計値を機種毎に記憶し、
前記売上推移グラフ作成手段は、前記記憶手段により機種毎に記憶されている売上情報の集計値に基づいて、該機種毎の売上情報の推移を示す売上推移グラフを作成すると共に、前記イベント期間設定手段により設定されたイベント期間に基づいて、該作成した売上推移グラフ上に、該イベント期間を特定可能な態様で示した売上推移グラフを作成することを特徴とする遊技用管理装置。
【請求項６】
請求項１〜５のいずれか１つに記載した遊技用管理装置であって、
前記イベント期間設定手段により設定されたイベント期間と対応付けてイベント内容を設定するイベント内容設定手段と、
前記イベント期間設定手段により設定されたイベント期間における前記売上情報の集計値であるイベント期間売上情報を集計するイベント期間売上情報集計手段と、
前記イベント期間設定手段により設定されたイベント期間と、前記イベント内容設定手段により設定されたイベント内容と、前記イベント期間売上情報集計手段により集計されたイベント期間売上情報とを対応付けて記憶するイベント期間売上情報記憶手段と、
前記出力手段で出力する対象となるイベント内容を指定するイベント内容指定手段と、
該イベント内容指定手段により指定されたイベント内容に対応するイベント期間売上情報を前記イベント期間売上情報記憶手段から抽出する抽出手段と、をさらに備え、
前記売上推移グラフ作成手段は、該抽出手段により抽出したイベント内容に対応するイベント期間売上情報の推移を示した売上推移グラフを作成することを特徴とする遊技用管理装置。
【発明の詳細な説明】
【技術分野】
【０００１】
本発明は、遊技場に設置された遊技機における売上を特定可能な売上情報を１日単位で集計し、該集計した売上情報の推移を示す売上推移グラフを出力する遊技用管理装置に関する。
【背景技術】
【０００２】
従来より、特許文献１に示すように、遊技場に設置された遊技機（例えばパチンコ機やスロットマシン）における売上（例えば玉貸金額やメダル貸金額）を特定可能な売上情報を所定期間毎（例えば１日毎）に集計し、該集計した売上情報の推移をヒストグラム形式で出力する情報処理装置が知られている。これによれば、売上情報の推移を遊技場側が容易に把握できるため、遊技場の経営戦略に役立てることができる。
【０００３】
【特許文献１】特開２００１−２０４９４３号公報（第５頁，図３）
【発明の開示】
【発明が解決しようとする課題】
【０００４】
ところで遊技場においては、遊技者の来店意欲を向上させたり、遊技者の遊技意欲を向上させるために、各種のイベント（例えば新装開店や出玉率の向上等の行事，催事）が開催されるが、前述した情報処理装置では、単に売上情報の推移が出力されるだけであるため、イベント期間における売上がイベント期間外における売上と比べてどのように変化したかを遊技場側が容易に把握することができなかった。
【０００５】
本発明は、このような背景のもとになされたものであり、その目的は、イベント期間における売上がイベント期間外における売上と比べてどのように変化したかを遊技場側が容易に把握することができるような遊技用管理装置を提供することにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず請求項１に係る発明は、遊技場に設置された遊技機（パチンコ機１０）における売上（玉貸金額）を特定可能な売上情報を入力する入力手段（通信部３１）と、該入力手段に入力された売上情報を１日単位で集計する集計手段（制御部３６）と、該集計手段により集計された売上情報の集計値を記憶する記憶手段（ハードディスク３５）と、遊技場で開催されるイベントについて該イベントが開催されるイベント期間を設定するイベント期間設定手段（入力装置３２及びディスプレイ３３）と、前記記憶手段により記憶されている売上情報の集計値に基づいて、該売上情報の推移を示す売上推移グラフを作成すると共に、前記イベント期間設定手段により設定されたイベント期間に基づいて、該作成した売上推移グラフ上に、該イベント期間を特定可能な態様で示した売上推移グラフを作成する売上推移グラフ作成手段（制御部３６）と、該売上推移グラフ作成手段により作成された売上推移グラフを出力する出力手段（ディスプレイ３３，プリンタ３６）と、を備える遊技用管理装置（ホールコンピュータ３０）である。
【０００８】
また請求項２に係る発明は、請求項１に記載した遊技用管理装置（ホールコンピュータ３０）であって、前記イベント期間設定手段（入力装置３２及びディスプレイ３３）により設定されたイベント期間における前記売上情報の集計値であるイベント期間売上情報を集計するイベント期間売上情報集計手段（制御部３６）をさらに備え、前記売上推移グラフ作成手段（制御部３６）は、前記記憶手段（ハードディスク３５）により記憶されている売上情報の集計値に基づいて、該売上情報の推移を示す売上推移グラフを作成すると共に、前記イベント期間設定手段により設定されたイベント期間及び前記イベント期間売上情報集計手段により集計されたイベント期間売上情報に基づいて、該作成した売上推移グラフ上に、該イベント期間を特定可能な態様で、該イベント期間における前記イベント期間売上情報を該イベント期間に対応付けて示した売上推移グラフを作成することを特徴とする遊技用管理装置である。
【０００９】
また請求項３に係る発明は、請求項１又は２に記載した遊技用管理装置（ホールコンピュータ３０）であって、前記イベント期間設定手段（入力装置３２及びディスプレイ３３）により設定されたイベント期間と対応付けてイベント内容を設定するイベント内容設定手段（入力装置３２及びディスプレイ３３）をさらに備え、前記売上推移グラフ作成手段（制御部３６）は、前記記憶手段（ハードディスク３５）により記憶されている売上情報の集計値に基づいて、該売上情報の推移を示す売上推移グラフを作成すると共に、前記イベント期間設定手段により設定されたイベント期間及び前記イベント内容設定手段により設定されたイベント内容に基づいて、該作成した売上推移グラフ上に、該イベント期間を特定可能な態様で、該イベント期間に対応するイベント内容を該イベント期間に対応付けて示した売上推移グラフを作成することを特徴とする遊技用管理装置である。
【００１０】
また請求項４に係る発明は、請求項１〜３のいずれか１つに記載した遊技用管理装置（ホールコンピュータ３０）であって、前記イベント期間設定手段（入力装置３２及びディスプレイ３３）により設定されたイベント期間における前記売上情報の目標値であるイベント期間目標売上を設定するイベント期間目標売上設定手段（入力装置３２及びディスプレイ３３）と、前記イベント期間設定手段により設定されたイベント期間における前記売上情報の集計値であるイベント期間売上情報を集計するイベント期間売上情報集計手段（制御部３６）と、該イベント期間売上情報集計手段により集計されたイベント期間売上情報が前記イベント期間目標売上設定手段により設定されたイベント期間目標売上を超えたか否かを判定する判定手段（制御部３６）と、をさらに備え、前記売上推移グラフ作成手段（制御部３６）は、前記記憶手段（ハードディスク３５）により記憶されている売上情報の集計値に基づいて、該売上情報の推移を示す売上推移グラフを作成すると共に、前記イベント期間設定手段により設定されたイベント期間及び前記判定手段により前記イベント期間売上情報が前記イベント期間目標売上を超えたと判定されたことに基づいて、該作成した売上推移グラフ上に、該イベント期間売上情報がイベント期間目標売上を超えたイベント期間を、該イベント期間売上情報がイベント期間目標売上を超えなかったイベント期間と異なる態様で示した売上推移グラフを作成することを特徴とする遊技用管理装置である。
【００１１】
また請求項５に係る発明は、請求項１〜４のいずれか１つに記載した遊技用管理装置（ホールコンピュータ３０）であって、前記売上情報が発生する遊技機（パチンコ機１０）の機種を設定する機種設定手段（入力装置３２及びディスプレイ３３）をさらに備え、前記集計手段（制御部３６）は、前記入力手段（通信部３１）に入力された売上情報を前記機種設定手段により設定された遊技機の機種毎に１日単位で集計し、前記記憶手段（ハードディスク３５）は、該集計手段により集計された売上情報の集計値を機種毎に記憶し、前記売上推移グラフ作成手段（制御部３６）は、前記記憶手段により機種毎に記憶されている売上情報の集計値に基づいて、該機種毎の売上情報の推移を示す売上推移グラフを作成すると共に、前記イベント期間設定手段（入力装置３２及びディスプレイ３３）により設定されたイベント期間に基づいて、該作成した売上推移グラフ上に、該イベント期間を特定可能な態様で示した売上推移グラフを作成することを特徴とする遊技用管理装置である。
【００１２】
さらに請求項６に係る発明は、請求項１〜５のいずれか１つに記載した遊技用管理装置（ホールコンピュータ３０）であって、前記イベント期間設定手段（入力装置３２及びディスプレイ３３）により設定されたイベント期間と対応付けてイベント内容を設定するイベント内容設定手段（入力装置３２及びディスプレイ３３）と、前記イベント期間設定手段により設定されたイベント期間における前記売上情報の集計値であるイベント期間売上情報を集計するイベント期間売上情報集計手段（制御部３６）と、前記イベント期間設定手段により設定されたイベント期間と、前記イベント内容設定手段により設定されたイベント内容と、前記イベント期間売上情報集計手段により集計されたイベント期間売上情報とを対応付けて記憶するイベント期間売上情報記憶手段（ハードディスク３５）と、前記出力手段（ディスプレイ３３，プリンタ３６）で出力する対象となるイベント内容を指定するイベント内容指定手段（入力装置３２及びディスプレイ３３）と、該イベント内容指定手段により指定されたイベント内容に対応するイベント期間売上情報を前記イベント期間売上情報記憶手段から抽出する抽出手段（制御部３６）と、をさらに備え、前記売上推移グラフ作成手段（制御部３６）は、該抽出手段により抽出したイベント内容に対応するイベント期間売上情報の推移を示した売上推移グラフを作成することを特徴とする遊技用管理装置である。
【発明の効果】
【００１３】
まず請求項１に係る発明によれば、イベント期間を特定可能な態様で示した売上推移グラフが作成されて出力されることにより、イベント期間における売上がイベント期間外における売上と比べてどのように変化したかを遊技場側が容易に把握することができるので、今後のイベント運営を検討することができる。
【００１４】
また請求項２に係る発明によれば、イベント期間を特定可能な態様で該イベント期間におけるイベント期間売上情報を該イベント期間に対応付けて示した売上推移グラフが作成されて出力されることにより、イベント期間における売上を遊技場側が一見して把握することができるので、今後のイベント運営を検討する上でより詳細な情報を提供できる。
【００１５】
また請求項３に係る発明によれば、イベント期間を特定可能な態様で該イベント期間に対応するイベント内容を該イベント期間に対応付けて示した売上推移グラフが作成されて出力されることにより、イベント内容毎に当該イベント期間における売上がどのように変化したかを遊技場側が容易に把握することができるので、今後開催するイベントのイベント内容を検討する上で有用な情報を提供できる。
【００１６】
また請求項４に係る発明によれば、イベント期間売上情報がイベント期間目標売上を超えたイベント期間とイベント期間売上情報がイベント期間目標売上を超えなかったイベント期間とを異なる態様で示した売上推移グラフが作成されて出力されることにより、イベント期間における売上が目標売上を超えたか否かを遊技場側が一見して把握することができるので、今後のイベント運営の検討を簡便化できる。
【００１７】
また請求項５に係る発明によれば、イベント期間を特定可能な態様で機種毎の売上推移グラフが作成されて出力されることにより、イベント期間における売上を機種毎に遊技場側が把握することができるので、機種毎のイベントを検討する上で有用な情報を提供できる。
【００１８】
さらに請求項６に係る発明によれば、指定したイベント内容に対応するイベント期間売上情報の推移を示した売上推移グラフが作成されて出力されることにより、指定したイベント内容の売上がどのように変化しているかを遊技場側が把握できるため、今後開催するイベントのイベント内容を検討する上で有用な情報を提供できる。
【発明を実施するための最良の形態】
【００１９】
以下、本発明の実施の形態を、図面を参照して説明する。本発明に係る遊技用装置であるホールコンピュータ３０は、図１に示すように、遊技場に設置された遊技機（ここではパチンコ機１０）における売上（ここでは玉貸金額）を特定可能な売上情報を入力し、後述する図４に示すように、該入力した売上情報を１日単位で集計して、該集計した売上情報の集計値を記憶し、後述する図３に示すように、遊技場で開催されるイベントについて該イベントが開催されるイベント期間を設定し、後述する図８に示すように、前記記憶されている売上情報の集計値に基づいて、該売上情報の推移を示す売上推移グラフを作成すると共に、前記設定されたイベント期間に基づいて、該作成した売上推移グラフ上に、該イベント期間を特定可能な態様で示した売上推移グラフを作成して、該作成した売上推移グラフを出力するものである。
【００２０】
ホールコンピュータ３０は、中継コンピュータ２及び台端末３を介して、パチンコ機１０に対応して設けられるカードユニット２０と通信可能に接続されている。ここでパチンコ機１０は、遊技場内に設けられる遊技島において機種等に従って所定の位置に配置されており、カードユニット２０は、パチンコ機１０に対応して（ここではパチンコ機１０の左側に隣接して）設けられている。これらパチンコ機１０及びカードユニット２０は、台番号により個々に識別可能とされている。
【００２１】
台端末３は、所定数の接続コネクタを備え、各接続コネクタに各カードユニット２０を接続することにより、該接続された各カードユニット２０との間で通信可能なものである。中継コンピュータ２は、遊技場内の所定箇所（例えば管理事務所等）に設けられ、台端末３とホールコンピュータ３０との間における通信を中継するものである。
【００２２】
これらカードユニット２０，台端末３，中継コンピュータ２，及びホールコンピュータ３０を備える遊技用システム１では、前記売上情報として、パチンコ機１０での遊技に使用される遊技媒体であるパチンコ玉の貸与に使用された玉貸金額を特定可能な情報が、カードユニット２０から出力され、台端末３及び中継コンピュータ２を介して、該カードユニット２０を特定可能な台番号と共に、ホールコンピュータ３０に入力される。
【００２３】
ここで玉貸金額は、パチンコ玉の貸与に使用された残度数が所定の比率で金額に換算されたもの（例えば１度数＝１００円）である。また残度数は、遊技に使用可能な遊技価値の大きさの一例であり、該残度数を特定可能な情報が記録された記録媒体（例えばプリペイドカード）の記録情報から特定される。以下、前記各構成要素について説明する。なお、以下においては、リーダ／ライタを「Ｒ／Ｗ」，データベースを「ＤＢ」を略記する。
【００２４】
パチンコ機１０は遊技機の一例であって、図２に示すように、遊技媒体であるパチンコ玉を遊技領域に打ち込むことにより遊技を行うものであり、ここでは該パチンコ機１０での遊技に使用されるパチンコ玉を貸与するための玉貸処理を行うカードユニット２０と通信可能に接続され、該カードユニット２０にてプリペイドカードが受け付けられて該プリペイドカードの記録情報から残度数が特定され、後述する玉貸ボタン１４ｂにて該残度数を使用した玉貸操作が受け付けられたときに、該カードユニット２０との間でパチンコ玉の貸与に関する信号のやり取りが行われてパチンコ玉が貸与される、いわゆるＣＲ式のパチンコ機１０である。
【００２５】
このパチンコ機１０の前面には、図２（ａ）に示すように、遊技領域と、パチンコ玉を該遊技領域に打ち込むための発射操作を受け付ける発射ハンドルと、後述する玉払出装置１３から払い出されるパチンコ玉を貯留する上皿と、該上皿内に貯留しきれない余剰のパチンコ玉を貯留する下皿が設けられている。また上皿の前面には、カードユニット２０にて受け付けられているプリペイドカードの記録情報から特定される残度数を表示する残度数表示器１４ａと、該残度数を使用した玉貸操作を受け付ける玉貸ボタン１４ｂと、該プリペイドカードの返却操作を受け付けるカード返却ボタン１４ｃが設けられている。
【００２６】
またパチンコ機１０の内部には、図２（ｂ）に示すように、遊技状態を制御する遊技制御基板１１と、玉払出装置１３を制御する払出制御基板１２と、貸し出されたパチンコ玉や賞球として付与されるパチンコ玉を払い出す玉払出装置１３が設けられている。これらパチンコ機１０に設けられる各機器は、図２（ｂ）に示すように接続されている。
【００２７】
カードユニット２０は、前記玉貸処理を行うと共に、該玉貸処理によりパチンコ玉の貸与に使用された度数が所定の比率で金額に換算された玉貸金額（即ち売上）を特定可能な情報を売上情報として出力する処理を行うものである。このカードユニット２０は、図２（ａ）に示すように、縦長の箱型の形状を呈するものであり、その前面にカード挿入口２３ａ等を備え、その内部に通信部２１ａ，玉貸通信部２１ｂ，制御部２２，及びカードＲ／Ｗ２３を備えており、これらの各機器は図２（ｂ）に示すように接続されている。
【００２８】
通信部２１ａは、台端末３及び中継コンピュータ２を介してホールコンピュータ３０の通信部３１と通信可能に接続され、カードユニット２０とホールコンピュータ３０との間における通信を司るものである。これにより、後述する玉貸処理が行われたときに、制御部２２から出力された前記売上情報が、カードユニット２０からホールコンピュータ３０に対して送信される。
【００２９】
玉貸通信部２１ｂは、パチンコ機１０に設けられる払出制御基板１２，残度数表示器１４ａ，玉貸ボタン１４ｂ，及びカード返却ボタン１４ｃと接続されている。これにより、後述する玉貸処理が行われたときに、パチンコ玉の貸与に関する信号のやり取りが、カードユニット２０とパチンコ機１０との間で行われる。
【００３０】
制御部２２は、ＣＰＵ，ＲＡＭ，及びＲＯＭ等を備え、ＲＯＭに記憶されている処理プログラムがＲＡＭを作業領域としてＣＰＵで実行されることにより、カードユニット２０に設けられる各構成要素の動作を制御して各種の処理を行うものである。
【００３１】
カードＲ／Ｗ２３は、カード挿入口２３ａから挿入されたプリペイドカードを受け付けて、該プリペイドカードの記録情報を読み取ると共に、後述する玉貸処理が行われたときに、使用された度数が減算された後の残度数をプリペイドカードに対して書き込むものである。
【００３２】
このカードユニット２０では、以下のようにして玉貸処理が行われる。まず遊技者がプリペイドカードをカード挿入口２３ａに挿入すると、該プリペイドカードの記録情報がカードＲ／Ｗ２３にて読み取られ、該記録情報から特定される残度数が制御部２２のＲＡＭに記憶されると共に残度数表示器１４ａに表示される。次に遊技者が玉貸ボタン１４ｂを操作すると、カードユニット２０とパチンコ機１０との間でパチンコ玉の貸出に関する信号のやり取りが行われ、所定度数分のパチンコ玉が玉払出装置１３から払い出されて、パチンコ玉の貸与が行われる。そして１００円に相当する１度数の残度数が使用される毎に、１パルスの売上情報が出力される。このようにカードユニット２０から出力される売上情報は、前述の如く、台端末３及び中継コンピュータ２を介して、該カードユニット２０の台番号を特定可能な情報と共に、ホールコンピュータ３０に入力される。なお遊技者がカード返却ボタン１４ｃを操作すると、前記挿入されているプリペイドカードがカード挿入口２３ａから排出される。
【００３３】
ホールコンピュータ３０は前記遊技用管理装置の一例であって、遊技場内の所定箇所（例えば管理事務所等）に設けられ、図１に示すように接続される通信部３１，入力装置３２，ディスプレイ３３，プリンタ３４，ハードディスク３５，及び制御部３６を備えている。
【００３４】
通信部３１は、前述の如くカードユニット２０の通信部２１ａと通信可能に接続されている。この通信部３１は入力手段の一例であって、遊技場に設置されたパチンコ機１０における売上を特定可能な売上情報を入力するものであり、ここではカードユニット２０から出力される売上情報が該カードユニット２０の台番号を特定可能な情報と共に入力される。
【００３５】
入力装置３２は各種の情報を入力するための入力デバイスであり、例えばマウス及びキーボード等である。ディスプレイ３３は各種の情報を表示して出力するための表示デバイスであり、例えば液晶表示器等である。プリンタ３４は、各種の情報を紙等の印刷媒体に印刷して出力する印刷デバイスである。ここでディスプレイ３３及びプリンタ３４は、後述する売上推移グラフ作成手段により作成された売上推移グラフを出力する出力手段として機能するものであるが、これについては図６〜図１０を参照して後述する。
【００３６】
また入力装置３２及びディスプレイ３３は、売上情報が発生するパチンコ機１０の機種を設定する機種設定手段として機能するものである。具体的には、ホールコンピュータ３０において、図示しないメニュー画面から機種設定モードが選択されると、図３（ａ）に示すように、売上情報が発生するパチンコ機１０の機種を設定するための機種設定画面がディスプレイ３３に表示される。
【００３７】
この図３（ａ）では、「機種名」の入力欄，及び「台番号」の入力欄が表示されると共に、仮想的な「設定」ボタン，「キャンセル」ボタン，及び「メニュー」ボタンが表示される。ここで遊技場側により入力装置３２が操作されて、「機種」の入力欄にある機種（ここではCR.AAA）が入力され、「台番号」の入力欄に該機種に属するパチンコ機１０の台番号（ここでは００１番台から０１０番台まで）が入力されて、「設定」ボタンが操作されると、該入力欄に入力された内容で、機種と対応付けて台番号が設定される。なお「キャンセル」ボタンが操作されると、機種設定は行われず、「メニュー」ボタンが操作されると、図示しないメニュー画面に戻る。
【００３８】
また入力装置３２及びディスプレイ３３は、遊技場で開催されるイベントについて該イベントが開催されるイベント期間を設定するイベント期間設定手段，該設定されたイベント期間と対応付けてイベント内容を設定するイベント内容設定手段，及び該設定されたイベント期間における売上情報の目標値であるイベント期間目標売上を設定するイベント期間目標売上設定手段として機能するものである。具体的には、ホールコンピュータ３０において、図示しないメニュー画面からイベント情報設定モードが選択されると、図３（ｂ）に示すように、イベント期間，イベント内容，及びイベント期間目標売上（以下これらを「イベント情報」と総称する。）を設定するためのイベント情報設定画面がディスプレイ３３に表示される。
【００３９】
この図３（ｂ）では、「イベント期間」の入力欄，「イベント内容」の入力欄，及び「イベント期間目標売上」の入力欄が表示されると共に、仮想的な「設定」ボタン，「キャンセル」ボタン，及び「メニュー」ボタンが表示される。ここで遊技場側により入力装置３２が操作されて、「イベント期間」の入力欄にあるイベント期間（ここでは２００３年７月８日から７月１０日まで）が入力され、「イベント内容」の入力欄に該イベント期間に対応するイベント内容（ここでは甘釘の日）が入力され、「イベント期間目標売上」の入力欄に該イベント期間におけるイベント期間目標売上（ここでは３５０万円）が入力されて、「設定」ボタンが操作されると、該入力欄に入力された内容で、イベント情報が設定される。ここで設定されたイベント情報は、後述する図５（ａ）に示すイベント情報ＤＢに記憶される。なお「キャンセル」ボタンが操作されると、イベント情報設定は行われず、「メニュー」ボタンが操作されると、図示しないメニュー画面に戻る。
【００４０】
さらに入力装置３２及びディスプレイ３３は、前記出力手段で出力する対象となるイベント内容を指定するイベント内容指定手段として機能するものであるが、これについては図７，図５（ｂ），及び図１０を参照して後述する。
【００４１】
ハードディスク３５は、不揮発性の記憶ディスクである。このハードディスク３５は、後述する集計手段により集計された売上情報の集計値を記憶する記憶手段として機能するものであり、ここでは図４に示すように、該記憶手段として機能する売上情報ＤＢが設けられている。この売上情報ＤＢには、月毎のデータテーブルが設けられており、各データテーブルでは、該月に属する各日付と対応付けて、遊技場に属する全パチンコ機１０における売上情報の集計値が「総売上」の記憶欄に記憶され、各機種に属するパチンコ機１０における売上情報の集計値が「機種毎売上」の記憶欄に記憶される。
【００４２】
またハードディスク３５は、前記イベント期間設定手段により設定されたイベント期間と、前記イベント内容設定手段により設定されたイベント内容と、後述するイベント期間売上情報集計手段により集計されたイベント期間売上情報とを対応付けて記憶するイベント期間売上情報記憶手段として機能するものであり、ここでは図５（ａ）に示すように、該イベント期間売上情報として機能するイベント情報ＤＢが設けられている。このイベント情報ＤＢには、月毎のデータテーブルが設けられており、各データテーブルでは、該月に属する各イベント期間の日付と対応付けて、前記イベント内容設定手段により設定されたイベント内容が「イベント内容」の記憶欄に記憶され、前記イベント期間目標売上設定手段により設定されたイベント期間目標売上が「イベント期間目標売上」の記憶欄に記憶され、後述するイベント期間売上情報集計手段により集計されたイベント期間売上情報が「イベント期間売上」の記憶欄に記憶され、該イベント期間売上情報÷イベント期間の日数の式で算出されたイベント期間売上情報の平均値が「同平均」の記憶欄に記憶される。
【００４３】
制御部３６は、ＣＰＵ，ＲＡＭ，ＲＯＭ等を備え、ハードディスク３５に記憶されている処理プログラムがＲＡＭを作業領域としてＣＰＵで実行されることにより、ホールコンピュータ３０に設けられる各構成要素の動作を制御して各種の処理を行うものである。
【００４４】
この制御部３６は、前記入力手段（ここでは通信部３１）に入力された売上情報を１日単位で集計する集計手段として機能するものであり、ここでは該売上情報を前記機種設定手段により設定されたパチンコ機１０の機種毎に１日単位で集計する。具体的には、通信部３１により売上情報及びカードユニット２０の台番号を特定可能な情報を受信したときに、機種設定手段による設定に基づいて該受信した台番号が属するパチンコ機１０の機種が特定され、該特定された機種の売上情報及び遊技場全体の売上情報に前記受信した売上情報が加算更新される。ここで集計された売上情報は、前述の如く図４に示す売上情報ＤＢに記憶される。
【００４５】
また制御部３６は、イベント期間設定手段により設定されたイベント期間における売上情報の集計値であるイベント期間売上情報を集計するイベント期間売上情報集計手段として機能するものである。具体的には、例えば２００３年７月であれば、図５（ａ）に示すように、イベント期間及びイベント内容として、７月５日に「CR.AAA大開放」，同８日〜１０日に「甘釘の日」，同２３日〜２６日に「出玉還元祭」，及び同３０日〜３１日に「月末祭」が設定されているので、図４に示す売上情報ＤＢにより記憶されている総売上に基づいて、各イベント期間における該総売上の集計値であるイベント期間売上情報が各々集計される。ここで集計されたイベント期間売上情報は、前述の如く図５（ａ）に示すイベント情報ＤＢに記憶される。
【００４６】
また制御部３６は、前記イベント期間売上情報集計手段により集計されたイベント期間売上情報が前記イベント期間目標売上設定手段により設定されたイベント期間目標売上を超えたか否かを判定する判定手段として機能するものである。具体的には、例えば２００３年７月であれば、図５（ａ）に示すように、７月５日の「CR.AAA大開放」，同２３日〜２６日の「出玉還元祭」，及び同３０日〜３１日の「月末祭」についてはイベント期間売上情報がイベント期間目標売上を超えている（目標超え）と判定され、同８日〜１０日の「甘釘の日」についてはイベント期間売上情報がイベント期間目標売上を超えてなかった（目標以下）と判定される。
【００４７】
また制御部３６は、前記イベント内容指定手段により指定されたイベント内容に対応するイベント期間売上情報を前記イベント期間売上情報記憶手段（即ち図５（ａ）に示すイベント情報ＤＢ）から抽出する抽出手段として機能するものであるが、これについては図７，図５（ｂ），及び図１０を参照して後述する。
【００４８】
さらに制御部３６は、記憶手段（即ち図４に示す売上情報ＤＢ）により記憶されている売上情報の集計値に基づいて、該売上情報の推移を示す売上推移グラフを作成すると共に、該作成した売上推移グラフ上に、該イベント期間を特定可能な態様で示した売上推移グラフを作成する売上推移グラフ作成手段として機能し、また前記抽出手段により抽出したイベント期間売上情報に基づいて、前記イベント内容指定手段により指定されたイベント内容に対応するイベント期間売上情報の推移を示した売上推移グラフを作成する売上推移グラフ作成手段として機能するものであるが、これらについては図６〜図１０を参照して後述する。
【００４９】
以下、ホールコンピュータ３０の作用について説明する。まずホールコンピュータ３０において、図示しないメニュー画面から売上推移グラフモードが選択されると、図６のＤ１に示すように、出力手段に出力する売上推移グラフの種別を設定するための種別設定画面がディスプレイ３３に表示される。このＤ１では、該種別として、イベント全体に関する売上推移グラフか，又は特定のイベント内容に関する売上推移グラフか、を設定可能である。
【００５０】
このＤ１で、入力装置３２の操作により、「イベント全体」に対応するラジオボタンがチェックされて、仮想的な「設定」ボタンが操作されると、出力手段に出力する売上推移グラフの種別として、イベント全体に関する売上推移グラフが設定される。そして図６のＤ２に示すように、出力手段に出力する売上推移グラフの期間を設定するための期間設定画面がディスプレイ３３に表示される。このＤ２では、該期間として、□年□月分か，又は□年□月□日から過去□月分か、を設定可能である。
【００５１】
このＤ２で、入力装置３２の操作により、「□年□月分」に対応するラジオボタンか，又は「□年□月□日から過去□月分」に対応するラジオボタンがチェックされ、□印の部分に所望の数字が入力されて、仮想的な「設定」ボタンが操作されると、出力手段に出力する売上推移グラフの期間として、該入力された期間が設定される。そして図６のＤ３に示すように、出力手段に出力する売上推移グラフの対象を設定するための対象設定画面がディスプレイ３３に表示される。このＤ３では、該対象として、全遊技機か，又は特定の機種か、を設定可能である。
【００５２】
このＤ３で、入力装置３２の操作により、「全遊技機」に対応するラジオボタンがチェックされて、仮想的な「設定」ボタンが操作されると、出力手段に出力する売上推移グラフの対象として、全遊技機が設定される。そして後述する図８に示す売上推移グラフがディスプレイ３３に表示される。一方、Ｄ３で、入力装置３２の操作により、「機種指定」に対応するラジオボタンがチェックされ、コンボボックスに表示される機種の中から所望の機種が選択されて、仮想的な「設定」ボタンが操作されると、出力手段に出力する売上推移グラフの対象として、該選択された機種が設定される。なおコンボボックスには、前記図３（ａ）に示すようにして設定された機種が表示される。そして後述する図９に示す売上推移グラフがディスプレイ３３に表示される。
【００５３】
前記Ｄ１で、図７のＤ１に示すように、入力装置３２の操作により、「イベント内容指定」に対応するラジオボタンがチェックされ、コンボボックスに表示されるイベント内容の中から所望のイベント内容が選択されて、仮想的な「設定」ボタンが操作されると、出力手段に出力する売上推移グラフの種別として、該選択されたイベント内容に関する売上推移グラフが設定される。なおコンボボックスには、前記図３（ｂ）に示すようにして設定されたイベント内容が表示される。そして図７のＤ２’に示すように、出力手段に出力する売上推移グラフの期間を設定するための期間設定画面がディスプレイ３３に表示される。このＤ２’では、該期間として、□年□月□日から過去□月分を設定可能である。
【００５４】
このＤ２’で、入力装置３２の操作により、「□年□月□日から過去□月分」の□印の部分に所望の数字が入力されて、仮想的な「設定」ボタンが操作されると、出力手段に出力する売上推移グラフの期間として、該入力された期間が設定される。そして後述する図１０に示す売上推移グラフがディスプレイ３３に表示される。この図７における入力装置３２及びディスプレイ３３は、前記イベント内容指定手段として機能するものである。
【００５５】
次に図８は、ホールコンピュータ３０のディスプレイ３３に表示されるイベント全体に関する全遊技機を対象とする売上推移グラフの一例を表す図である。この図８に示す売上推移グラフがディスプレイ３３に表示されるときには、前記図６に示す設定（ここでは前記種別としてイベント全体に関する売上推移グラフ，前記期間として２００３年７月分，及び前記対象として全遊技機が設定されている）に基づいて、図４に示す売上情報ＤＢにより記憶されているデータから該設定に対応するデータ（ここでは２００３年７月の各日付に対応する総売上）が抽出されると共に、図５（ａ）に示すイベント情報ＤＢに記憶されているデータから該設定に対応するデータ（ここでは２００３年７月のイベント期間，イベント内容，イベント期間目標売上，イベント期間売上情報）が抽出され、売上推移グラフ作成手段として機能する制御部３６により、売上推移グラフが作成される。
【００５６】
まず売上推移グラフ作成手段は、記憶手段により記憶されている売上情報の集計値に基づいて、該売上情報の推移を示す売上推移グラフを作成する。具体的には、縦軸に売上金額，横軸に日付をとったグラフエリアにおいて、図４に示す売上情報ＤＢから抽出された２００３年７月の各日付に対応する総売上に基づいて、各日付に対応する売上をプロットし、該プロットした各点を繋いで、折線グラフ形式の売上推移グラフを作成する。
【００５７】
また売上推移グラフ作成手段は、イベント期間設定手段により設定されたイベント期間に基づいて、前記作成した売上推移グラフ上に、該イベント期間を特定可能な態様で示した売上推移グラフを作成する。具体的には、図５（ａ）に示すイベント情報ＤＢから抽出された２００３年７月のイベント期間に基づいて、前記折線グラフ上に、各イベント期間に対応した縦長の帯を表示すると共に、前記横軸の下方に、各イベント期間（ここでは７月５日の１日間，同８日〜１０日の３日間，同２３日〜２６日の４日間，及び同３０日〜３１日の２日間）を表示する。このように、イベント期間を特定可能な態様で示した売上推移グラフが作成されて出力されることにより、イベント期間における売上がイベント期間外における売上と比べてどのように変化したかを遊技場側が容易に把握することができるので、今後のイベント運営を検討することができる。
【００５８】
また売上推移グラフ作成手段は、イベント期間設定手段により設定されたイベント期間及びイベント期間売上情報集計手段により集計されたイベント期間売上情報に基づいて、前記作成した売上推移グラフ上に、該イベント期間を特定可能な態様で、該イベント期間におけるイベント期間売上情報を示した売上推移グラフを作成する。具体的には、図５（ａ）に示すイベント情報ＤＢから抽出された２００３年７月のイベント期間，イベント期間目標売上，及びイベント期間売上情報に基づいて、前記横軸の下方に、前記各イベント期間におけるイベント期間目標売上及びイベント期間売上情報を表示する。このように、イベント期間を特定可能な態様で該イベント期間におけるイベント期間売上情報を該イベント期間に対応付けて示した売上推移グラフが作成されて出力されることにより、イベント期間における売上を遊技場側が一見して把握することができるので、今後のイベント運営を検討する上でより詳細な情報を提供できる。
【００５９】
また売上推移グラフ作成手段は、イベント期間設定手段により設定されたイベント期間及びイベント内容設定手段により設定されたイベント内容に基づいて、前記作成した売上推移グラフ上に、該イベント期間を特定可能な態様で、該イベント期間に対応するイベント内容を示した売上推移グラフを作成する。具体的には、図５（ａ）に示すイベント情報ＤＢから抽出された２００３年７月のイベント期間，及びイベント内容に基づいて、前記横軸の下方に、前記各イベント期間に対応するイベント内容を表示する。このように、イベント期間を特定可能な態様で該イベント期間に対応するイベント内容を該イベント期間に対応付けて示した売上推移グラフが作成されて出力されることにより、イベント内容毎に当該イベント期間における売上がどのように変化したかを遊技場側が容易に把握することができるので、今後開催するイベントのイベント内容を検討する上で有用な情報を提供できる。
【００６０】
さらに売上推移グラフ作成手段は、イベント期間設定手段により設定されたイベント期間及び判定手段によりイベント期間売上情報がイベント期間目標売上を超えたと判定されたことに基づいて、前記作成した売上推移グラフ上に、該イベント期間売上情報がイベント期間目標売上を超えたイベント期間を、該イベント期間売上情報がイベント期間目標売上を超えなかったイベント期間と異なる態様で示した売上推移グラフを作成する。具体的には、図５（ａ）に示すイベント情報ＤＢから抽出された２００３年７月のイベント期間，及び判定手段による判定結果に基づいて、イベント期間売上情報がイベント期間目標売上を超えている（目標超え）と判定された７月５日の「CR.AAA大開放」，同２３日〜２６日の「出玉還元祭」，及び同３０日〜３１日の「月末祭」については、前記折線グラフ上に表示される各イベント期間に対応した縦長の帯に右上がりのハッチングを表示し、イベント期間売上情報がイベント期間目標売上を超えてなかった（目標以下）と判定された同８日〜１０日の「甘釘の日」については、前記折線グラフ上に表示される各イベント期間に対応した縦長の帯に右下がりのハッチングを表示する。このように、イベント期間売上情報がイベント期間目標売上を超えたイベント期間とイベント期間売上情報がイベント期間目標売上を超えなかったイベント期間とを異なる態様で示した売上推移グラフが作成されて出力されることにより、イベント期間における売上が目標売上を超えたか否かを遊技場側が一見して把握することができるので、今後のイベント運営の検討を簡便化できる。
【００６１】
次に図９は、ホールコンピュータ３０のディスプレイ３３に表示されるイベント全体に関する特定の機種を対象とする売上推移グラフの一例を表す図である。この図９に示す売上推移グラフがディスプレイ３３に表示されるときには、前記図６に示す設定（ここでは前記種別としてイベント全体に関する売上推移グラフ，前記期間として２００３年７月分，及び前記対象として特定の機種である「CR.AAA」が設定されている）に基づいて、図４に示す売上情報ＤＢにより記憶されているデータから該設定に対応するデータ（ここでは２００３年７月の各日付に対応するCR.AAAの機種別売上）が抽出されて各イベント期間における機種CR.AAAの売上が算出されると共に、図５（ａ）に示すイベント情報ＤＢに記憶されているデータから該設定に対応するデータ（ここでは２００３年７月のイベント期間，イベント内容，イベント期間目標売上，イベント期間売上情報）が抽出され、売上推移グラフ作成手段として機能する制御部３６により、売上推移グラフが作成される。
【００６２】
まず売上推移グラフ作成手段は、記憶手段により機種毎に記憶されている売上情報の集計値に基づいて、該機種毎の売上情報の推移を示す売上推移グラフを作成する。具体的には、縦軸に売上金額，横軸に日付をとったグラフエリアにおいて、図４に示す売上情報ＤＢから抽出された２００３年７月の各日付に対応するCR.AAAの機種別売上に基づいて、各日付に対応する売上をプロットし、該プロットした各点を繋いで、折線グラフ形式の売上推移グラフを作成する。
【００６３】
また売上推移グラフ作成手段は、前記図８と同様に、前記作成した売上推移グラフ上に、該イベント期間を特定可能な態様で示した売上推移グラフを作成する。これにより、イベント期間を特定可能な態様で機種毎の売上推移グラフが作成されて出力されることにより、イベント期間における売上を機種毎に遊技場側が把握することができるので、機種毎のイベントを検討する上で有用な情報を提供できる。具体的には、図９に示すようにCR.AAAの機種別売上に基づく売上推移グラフが表示されることにより、７月５日に開催された該CR.AAAに関するイベントの効果を、遊技場側が的確に判断することができる。なお図９に示す売上推移グラフにおいては、前記図８と同様に、イベント内容，イベント期間目標売上，及びイベント期間売上情報が示されると共に、目標超えのイベント期間が目標以下のイベント期間と異なる態様で示される。また図９に示す売上推移グラフにおいては、前記算出された各イベント期間における機種CR.AAAの売上も表示される。
【００６４】
次に図１０は、ホールコンピュータ３０のディスプレイ３３に表示される特定のイベント内容に関する売上推移グラフの一例を表す図である。この図１０に示す売上推移グラフがディスプレイ３３に表示されるときには、図５（ｂ）に示すように、前記抽出手段により、前記図７に示す設定（ここでは前記種別として特定のイベント内容である「甘釘の日」に関する売上推移グラフ，及び前記期間として２００３年７月から過去７月分が設定されている）に基づいて、図５（ａ）に示すイベント情報ＤＢにより記憶されているデータから該設定に対応するデータ（ここでは２００３年１月〜７月までの各月の「甘釘の日」に対応するイベント期間，イベント期間目標売上，イベント期間売上情報，及び同平均）が抽出され、売上推移グラフ作成手段として機能する制御部３６により、売上推移グラフが作成される。
【００６５】
まず売上推移グラフ作成手段は、抽出手段により抽出したイベント期間売上情報に基づいて、イベント内容指定手段により指定されたイベント内容に対応するイベント期間売上情報の推移を示した売上推移グラフを作成する。具体的には、縦軸に売上金額，横軸に各月をとったグラフエリアにおいて、図５（ｂ）に示すようにして抽出された２００３年１月〜７月までの各月の「甘釘の日」に対応するイベント期間，イベント期間目標売上，イベント期間売上情報，及び同平均（即ちイベント期間売上情報の平均）に基づいて、各月に対応するイベント期間売上情報の平均をプロットし、該プロットした各点を繋いで、折線グラフ形式の売上推移グラフを作成する。このように、指定したイベント内容に対応するイベント期間売上情報の推移を示した売上推移グラフが作成されて出力されることにより、指定したイベント内容の売上がどのように変化しているかを遊技場側が把握できるため、今後開催するイベントのイベント内容を検討する上で有用な情報を提供できる。
【００６６】
なお売上推移グラフ作成手段は、前記横軸の下方に、図５（ｂ）に示すようにして抽出された２００３年１月〜７月までの各月の「甘釘の日」に対応するイベント期間，イベント期間目標売上，イベント期間売上情報，及び同平均を表示する。またイベント期間売上情報がイベント期間目標売上を超えている（目標超え）と判定された２月，３月，４月，及び６月については、前記折線グラフ上における各点に○印を表示し、イベント期間売上情報がイベント期間目標売上を超えてなかった（目標以下）と判定された１月，５月，及び７月については、前記折線グラフ上における各点に×印を表示する。
【００６７】
以上の説明においては、売上推移グラフ作成手段により作成された売上推移グラフがディスプレイ３３により表示されて出力される例について説明したが、該売上推移グラフ作成手段により作成された売上推移グラフは、入力装置３２による所定の操作により、プリンタ３６により紙等の印刷媒体に印刷されて出力される。
【００６８】
最後に、本発明の変形例について説明する。
【００６９】
上記の実施形態では、遊技機がＣＲ式のパチンコ機１０である例について説明したが、これに限らず、該遊技機は、現金玉貸機から貸し出されるパチンコ玉を使用して遊技を行う現金式のパチンコ機でも良い。またパチンコ機は、遊技媒体であるパチンコ玉が指触不能に封入されると共に入賞口への入賞に応じて得点が付与される封入式のパチンコ機や、遊技領域や遊技媒体であるパチンコ玉が画像にて表示されると共に入賞に応じて得点が付与される画像式のパチンコ機や、入賞口への入賞に応じてクレジットが加算されるクレジット式のパチンコ機であっても良い。さらに遊技機は、パチンコ機には限られず、遊技媒体としてメダルを使用するスロットマシンでも良い。
【００７０】
上記の実施形態では、売上情報が玉貸金額を特定可能な情報である例について説明したが、これに限らず、カードユニット２０において例えば貯玉再プレイ処理（即ち遊技者が遊技の結果として獲得した獲得価値の大きさが貯蓄されてなる貯蓄価値の大きさを遊技に使用させるための処理）が行われる場合には、該遊技に使用された貯蓄価値の大きさを特定可能な情報が前記売上情報となる。
【００７１】
上記の実施形態では、入力手段が通信部３１である例について説明したが、これに限らず、該入力手段は、例えば入力装置３２であっても良く、この場合には、遊技場側による入力装置３２の操作により売上情報が入力される。
【００７２】
上記の実施形態では、図８に示すように、イベント期間売上情報がイベント期間目標売上を超えている（目標超え）と判定されたイベント期間については、前記折線グラフ上に表示される各イベント期間に対応した縦長の帯に右上がりのハッチングが表示され、イベント期間売上情報がイベント期間目標売上を超えてなかった（目標以下）と判定されたイベント期間については、前記折線グラフ上に表示される各イベント期間に対応した縦長の帯に右下がりのハッチングが表示される例について説明したが、これに限らず、図１１に示すように、目標超えと判定されたイベント期間については、前記折線グラフ上における各点に○印を表示し、目標以下と判定されたイベント期間については、前記折線グラフ上における各点に×印を表示するようにしても良い。即ち、イベント期間売上情報がイベント期間目標売上を超えたイベント期間が、該イベント期間売上情報がイベント期間目標売上を超えなかったイベント期間と異なる態様で示されるのであれば、その態様は特に限定されない。
【００７３】
上記の実施形態では、図８に示すように、売上推移グラフが折線グラフ形式で示される例について説明したが、これに限らず、図１２に示すように、該売上推移グラフが棒グラフ（ヒストグラム）形式で示されるようにしても良く、この場合には、目標超えと判定されたイベント期間については、各イベント期間に対応した棒グラフに右上がりのハッチングを表示し、目標以下と判定されたイベント期間については、各イベント期間に対応した棒グラフに右下がりのハッチングを表示すれば良い。また図８に示す折線グラフ形式の売上推移グラフと、図１２に示す棒グラフ形式の売上推移グラフとが、切替表示されるようにしても良い。即ち売上推移グラフは、売上情報の推移を示すものであれば良い。なお図１０に示す売上推移グラフも、折線グラフ形式ではなく、棒グラフ形式で示されるようにしても良く、両形式が切替表示されるようにしても良い。
【００７４】
上記の実施形態では、図８，図９，及び図１２に示すように、目標超えと判定されたイベント期間に右上がりのハッチングが表示され、目標以下と判定されたイベント期間に右下がりのハッチングが表示される例について説明したが、これに限らず、例えば該両者がそれぞれ色分けされて表示されるようにしても良い。
ことにより、即ち、イベント期間売上情報がイベント期間目標売上を超えたイベント期間が、該イベント期間売上情報がイベント期間目標売上を超えなかったイベント期間と異なる態様で示されるのであれば、その態様は特に限定されない。
【図面の簡単な説明】
【００７５】
【図１】図１は本発明に係る遊技用管理装置であるホールコンピュータを含む遊技用システムの一例を表す機能ブロック図である。
【図２】図２（ａ）はパチンコ機及びカードユニットの一例を表す正面図であり、図２（ｂ）は同機能ブロック図である。
【図３】図３はホールコンピュータのディスプレイに表示される画面の一例を表す図であり、（ａ）は機種設定画面，（ｂ）はイベント情報設定画面である。
【図４】図４はホールコンピュータのハードディスクに記憶される売上情報ＤＢの一例を表す図である。
【図５】図５（ａ）はホールコンピュータのハードディスクに記憶されるイベント情報ＤＢの一例を表す図，図５（ｂ）は特定のイベント内容に関するイベント情報が抽出された状態の一例を表す図である。
【図６】図６はホールコンピュータのディスプレイに表示される画面の一例を表す図である。
【図７】図７もホールコンピュータのディスプレイに表示される画面の一例を表す図である。
【図８】図８はホールコンピュータのディスプレイに表示されるイベント全体に関する全遊技機を対象とする売上推移グラフの一例を表す図である。
【図９】図９はホールコンピュータのディスプレイに表示されるイベント全体に関する特定の機種を対象とする売上推移グラフの一例を表す図である。
【図１０】図１０はホールコンピュータのディスプレイに表示される特定のイベント内容に関する売上推移グラフの一例を表す図である。
【図１１】図１１は図８の変形例を表す図である。
【図１２】図１２も図８の変形例を表す図である。
【符号の説明】
【００７６】
１０…パチンコ機
３０…ホールコンピュータ
３１…通信部
３２…入力装置
３３…ディスプレイ
３４…プリンタ
３５…ハードディスク
３６…制御部
【図１】
2005095459.tif 000003
【図２】
2005095459.tif 000004
【図３】
2005095459.tif 000005
【図４】
2005095459.tif 000006
【図５】
2005095459.tif 000007
【図６】
2005095459.tif 000008
【図７】
2005095459.tif 000009
【図８】
2005095459.tif 000010
【図９】
2005095459.tif 000011
【図１０】
2005095459.tif 000012
【図１１】
2005095459.tif 000013
【図１２】
2005095459.tif 000014